(57)【要約】【課題】データエントリ作業の進捗状況を容易に把握することができ、簡単な操作で必要なデータエントリ作業を開始することができ、該データエントリ作業をスムーズに行うことができるようにする。【解決手段】帳票に記載されたエントリデータを入力するデータエントリ作業を行うためのエントリ端末と、該エントリ端末に接続され、前記帳票のイメージデータを格納するとともに、前記データエントリ作業の進捗状況を管理するデータ管理サーバとを有し、前記エントリ端末は、前記データエントリ作業の進捗状況を示すデータを業務毎に表示するメニュー画面、及び、該メニュー画面において選択された業務のエントリデータを入力するデータエントリ作業を行うエントリ画面を表示する。【選択図】図１
2007226329.tif 000002
【特許請求の範囲】
【請求項１】
（ａ）帳票に記載されたエントリデータを入力するデータエントリ作業を行うためのエントリ端末と、
（ｂ）該エントリ端末に接続され、前記帳票のイメージデータを格納するとともに、前記データエントリ作業の進捗状況を管理するデータ管理サーバとを有し、
（ｃ）前記エントリ端末は、前記データエントリ作業の進捗状況を示すデータを業務毎に表示するメニュー画面、及び、該メニュー画面において選択された業務のエントリデータを入力するデータエントリ作業を行うエントリ画面を表示することを特徴とする帳票データエントリシステム。
【請求項２】
前記メニュー画面は、各業務についてデータエントリ作業の開始を選択するボタンを含み、該ボタンが押されると選択された業務の前記エントリ画面が表示される請求項１に記載の帳票データエントリシステム。
【請求項３】
前記ボタンは、各業務について入力すべきエントリデータがあると有効となり、入力すべきエントリデータがないと無効となる請求項２に記載の帳票データエントリシステム。
【請求項４】
前記メニュー画面は、全業務についての受信件数、処理完了、返却済、削除済、帳票分類要、エントリ要、ベリファイ要、発信エラー及び送信中の項目における繰越分の件数及び当日分の件数が表示される全業務表示部と、個別の業務についての受信件数、処理完了、返却済、削除済、エントリ要、ベリファイ要、発信エラー及び送信中の項目における繰越分の件数及び当日分の件数が表示される個別業務表示部とを備える請求項２に記載の帳票データエントリシステム。
【請求項５】
前記エントリ画面は、帳票のイメージデータを表示するイメージデータ表示部と、前記帳票に記載されたエントリデータを入力するための入力フィールド部とを備える請求項１に記載の帳票データエントリシステム。
【発明の詳細な説明】
【技術分野】
【０００１】
本発明は、帳票データエントリシステムに関するものである。
【背景技術】
【０００２】
従来、銀行、郵便局、信用金庫、消費者金融会社等の金融機関においては、顧客が住所変更等の顧客情報の更新を窓口やカウンタで依頼すると、必要事項が記載された依頼伝票等の帳票を金融機関の帳票取扱センタに送付してデータ管理サーバ等のコンピュータに入力するようになっている。この場合、前記帳票取扱センタにおいて、スキャナ装置を使用して前記帳票のイメージデータを取得するとともに、オペレータがエントリ端末を操作して、前記帳票に記載された事項を入力するためのデータエントリ作業を行うようになっている（例えば、特許文献１参照。）。
【０００３】
ところで、データエントリ作業を行うためにエントリ端末に表示されるエントリ画面の遷移方法としては、「業務ボタン方法」及び「業務プルダウン方法」の２通りの方法が使用されている。
【０００４】
まず、業務ボタン方法の場合、エントリ画面に表示された対象業務ボタンを押下することによって、該当する業務が自動的に表示される。なお、システムに蓄積されているデータは、エントリボタンを押下すると自動表示されるようになっている。この場合、蓄積されているデータ量や、進捗（ちょく）具合については、別画面を表示させて確認する必要がある。
【０００５】
また、業務プルダウン方法の場合、システムに蓄積されているデータ量や、進捗具合が、メインメニュー画面上に自動表示されるようになっている。そして、対象業務をプルダウンで選択することによって、該当する業務が自動的に表示されるようになっている。そのため、メインメニュー画面上で蓄積されているデータ量や、進捗具合について確認することができる。
【特許文献１】特開２０００−９９６０７号公報
【発明の開示】
【発明が解決しようとする課題】
【０００６】
しかしながら、前記従来のシステムにおいては、別画面を表示させて業務の進捗状況を確認したり、プルダウンで業務の選択をしたりしなければならず、操作が煩雑で手間がかかり、データエントリ作業をスムーズに行うことができなかった。
【０００７】
本発明は、前記従来の問題点を解決して、メニュー画面にデータエントリ作業の進捗状況を示すデータを業務毎に表示させるとともに、各業務についてデータエントリ作業の開始を選択するボタンを表示させ、入力すべきデータがあると前記ボタンを有効とし、入力すべきデータがないと前記ボタンを無効とするようにして、データエントリ作業の進捗状況を容易に把握することができ、簡単な操作で必要なデータエントリ作業を開始することができ、該データエントリ作業をスムーズに行うことができる帳票データエントリシステムを提供することを目的とする。
【課題を解決するための手段】
【０００８】
そのために、本発明の帳票データエントリシステムにおいては、帳票に記載されたエントリデータを入力するデータエントリ作業を行うためのエントリ端末と、該エントリ端末に接続され、前記帳票のイメージデータを格納するとともに、前記データエントリ作業の進捗状況を管理するデータ管理サーバとを有し、前記エントリ端末は、前記データエントリ作業の進捗状況を示すデータを業務毎に表示するメニュー画面、及び、該メニュー画面において選択された業務のエントリデータを入力するデータエントリ作業を行うエントリ画面を表示する。
【０００９】
本発明の他の帳票データエントリシステムにおいては、さらに、前記メニュー画面は、各業務についてデータエントリ作業の開始を選択するボタンを含み、該ボタンが押されると選択された業務の前記エントリ画面が表示される。
【００１０】
本発明の更に他の帳票データエントリシステムにおいては、さらに、前記ボタンは、各業務について入力すべきエントリデータがあると有効となり、入力すべきエントリデータがないと無効となる。
【００１１】
本発明の更に他の帳票データエントリシステムにおいては、さらに、前記メニュー画面は、全業務についての受信件数、処理完了、返却済、削除済、帳票分類要、エントリ要、ベリファイ要、発信エラー及び送信中の項目における繰越分の件数及び当日分の件数が表示される全業務表示部と、個別の業務についての受信件数、処理完了、返却済、削除済、エントリ要、ベリファイ要、発信エラー及び送信中の項目における繰越分の件数及び当日分の件数が表示される個別業務表示部とを備える。
【００１２】
本発明の更に他の帳票データエントリシステムにおいては、さらに、前記エントリ画面は、帳票のイメージデータを表示するイメージデータ表示部と、前記帳票に記載されたエントリデータを入力するための入力フィールド部とを備える。
【発明の効果】
【００１３】
本発明によれば、帳票データエントリシステムにおいては、メニュー画面にデータエントリ作業の進捗状況を示すデータを業務毎に表示させるとともに、各業務についてデータエントリ作業の開始を選択するボタンを表示させ、入力すべきデータがあると前記ボタンを有効とし、入力すべきデータがないと前記ボタンを無効とするようになっている。そのため、データエントリ作業の進捗状況を容易に把握することができ、簡単な操作で必要なデータエントリ作業を開始することができ、該データエントリ作業をスムーズに行うことができる。
【発明を実施するための最良の形態】
【００１４】
以下、本発明の実施の形態について図面を参照しながら詳細に説明する。
【００１５】
図１は本発明の実施の形態における帳票データエントリシステムの構成を示す図、図２は本発明の実施の形態における業務管理データベースの構成を示す図である。
【００１６】
図において、１０は銀行、郵便局、信用金庫、消費者金融会社等の金融機関の本店、支店等の営業店、前記金融機関の帳票取扱センタ、データエントリセンタ等に配設された帳票データエントリシステムである。該帳票データエントリシステム１０は、金融機関において、顧客が口座の新規開設、キャッシュカードの暗証番号の届出、住所変更等の届出や更新を窓口やカウンタで依頼すると、必要事項が記載された依頼伝票等の帳票としての入力帳票１６のイメージデータを取得し、該イメージデータに基づいて、前記入力帳票１６に記載された事項をエントリデータとして入力するためのコンピュータシステムである。
【００１７】
そして、前記帳票データエントリシステム１０は、画像入力装置としてのスキャナ装置１１、該スキャナ装置１１の上位装置としての帳票イメージ入力端末１２、入力帳票１６に記載されたエントリデータを入力するデータエントリ作業を行うためのエントリ端末１３、ベリファイ端末１４、及び、入力帳票１６のイメージデータを格納するとともに、データエントリ作業の進捗状況を管理するデータ管理サーバ１５を有する。なお、前記帳票イメージ入力端末１２、エントリ端末１３、ベリファイ端末１４及びデータ管理サーバ１５は、ＬＡＮ（Ｌｏｃａｌ  Ａｒｅａ  Ｎｅｔｗｏｒｋ）、イントラネット等の通信回線網１７を介して、相互に通信可能に接続されている。
【００１８】
ここで、前記スキャナ装置１１は、フラットベッドスキャナ、シートフィードスキャナ、ドラムスキャナ等であるが、いかなる種類のスキャナであってもよい。また、前記スキャナ装置１１は、カラー画像の読み取りが可能なカラースキャナであることが望ましいが、モノクロスキャナであってもよい。本実施の形態において、前記スキャナ装置１１は、帳票データエントリシステム１０に入力すべき事項、すなわち、エントリデータが記載された入力帳票１６に光を照射する蛍光灯等から成る光源、及び、前記入力帳票１６の表面からの反射光を受光するＣＣＤ（Ｃｈａｒｇｅ  Ｃｏｕｐｌｅｄ  Ｄｅｖｉｃｅ：電荷結合素子）等から成るライン型イメージセンサのようなイメージセンサを備え、入力帳票１６の画像を走査しながら読み取る画像読取部、ホッパ、搬送経路、スタッカ等を有し、複数枚の入力帳票１６を順次読み取ることができるようになっている。
【００１９】
そして、前記ホッパは、複数枚の入力帳票１６を積み重ねた状態で収納する。また、前記搬送経路は、ベルト、ローラ等の搬送装置を備えてスキャナ装置１１内に形成され、前記ホッパ内に積み重ねられた複数枚の入力帳票１６が紙送り装置によって一番上又は一番下から順次送り込まれると、送り込まれた入力帳票１６を前記画像読取部に搬送する。さらに、前記搬送経路は、前記画像読取部においてイメージデータが取得された入力帳票１６を搬送してスタッカに排出するようになっている。
【００２０】
また、前記搬送経路における画像読取部の下流側には印字ヘッドを備える印字部が配設され、前記入力帳票１６の隅や裏面の余白部分の通番記載欄に通番を印字するようになっている。該通番は、それぞれの入力帳票１６がどのような順番でスキャナ装置１１によって読取処理が行われたかを確認するためのものであり、読取処理が行われた順番を示す番号であり、帳票イメージ入力端末１２によって付与されて管理される。例えば、１枚１枚の入力帳票１６に順次１ずつインクリメントされた番号が通番として付与されるようになっている。ここで、前記印字ヘッドは、いかなる種類の印字方式を採用するものであってもよく、例えば、インクジェット方式、電子写真方式、熱転写方式、ワイヤドット方式等の印字方式を採用するものである。
【００２１】
なお、前記スキャナ装置１１は、ＣＰＵ、ＭＰＵ等の演算手段、磁気ディスク、半導体メモリ等の記憶手段、通信するための通信手段等を備える図示されない制御装置を備え、該制御装置によってスキャナ装置１１の動作が制御されるようになっている。また、該スキャナ装置１１は、帳票イメージ入力端末１２に通信可能に接続され、該帳票イメージ入力端末１２から受信した指令に従って入力帳票１６を読み取る。
【００２２】
そして、前記帳票イメージ入力端末１２は、ＣＰＵ、ＭＰＵ等の演算手段、磁気ディスク、半導体メモリ等の記憶手段、キーボード、マウス、押しボタン、タッチパネル等の入力手段、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段、通信インターフェイス等を備えるコンピュータである。なお、前記帳票イメージ入力端末１２は、例えば、パーソナルコンピュータであるが、サーバ、ワークステーション等いかなる種類のコンピュータであってもよい。そして、前記帳票イメージ入力端末１２は、前記スキャナ装置１１に対し専用ソフトインターフェイスを使用して制御を行い、前記スキャナ装置１１から受信した入力帳票１６のイメージデータを通信回線網１７を介して、データ管理サーバ１５に送信する。
【００２３】
なお、前記入力帳票１６は、業務毎に相違するフォーマットを備え、各業務に対応した必要事項が記載される帳票である。ここで、前記業務は、顧客が窓口やカウンタで依頼した届出や更新に対応して金融機関が行う業務であるが、顧客の依頼に対応するもの以外に金融機関が行う業務を含むものであってもよい。そして、前記入力帳票１６は、業務毎に仕分けられ、オペレータが帳票イメージ入力端末１２を操作して指定した業務に対応する入力帳票１６のイメージデータがスキャナ装置１１によって取得される。
【００２４】
また、前記エントリ端末１３は、入力帳票１６に記載されたエントリデータを帳票データエントリシステム１０に入力する作業としてのデータエントリ作業を担当するオペレータであるエントリ担当者が操作する端末であり、ＣＰＵ、ＭＰＵ等の演算手段、磁気ディスク、半導体メモリ等の記憶手段、キーボード、マウス、押しボタン、タッチパネル等の入力手段、ＣＲＴ、液晶ディスプレイ、ＬＥＤディスプレイ等の表示手段、通信インターフェイス等を備えるコンピュータである。なお、図１において、前記エントリ端末１３は、１つ示されているが、複数であってもよい。
【００２５】
さらに、前記ベリファイ端末１４は、エントリ担当者によって入力されたエントリデータの内容を検証するベリファイ作業を担当するオペレータであるベリファイ担当者が操作する端末であり、ＣＰＵ、ＭＰＵ等の演算手段、磁気ディスク、半導体メモリ等の記憶手段、キーボード、マウス、押しボタン、タッチパネル等の入力手段、ＣＲＴ、液晶ディスプレイ、ＬＥＤディスプレイ等の表示手段、通信インターフェイス等を備えるコンピュータである。
【００２６】
さらに、前記データ管理サーバ１５は、ＣＰＵ、ＭＰＵ等の演算手段、磁気ディスク、半導体メモリ等の記憶手段、キーボード、マウス、押しボタン、タッチパネル等の入力手段、ＣＲＴ、液晶ディスプレイ、ＬＥＤディスプレイ等の表示手段、通信インターフェイス等を備えるコンピュータであり、前記帳票イメージ入力端末１２から受信した前記入力帳票１６のイメージデータ、及び、前記エントリ端末１３から受信したエントリデータを管理する。なお、前記データ管理サーバ１５は、金融機関の勘定系処理を実行する図示されないホストコンピュータと通信可能に接続されており、必要に応じてエントリデータを前記ホストコンピュータに送信する。
【００２７】
また、前記データ管理サーバ１５には、業務毎の処理状況データを管理するデータを格納する業務管理データベース１５ａ、帳票イメージ入力端末１２で取得した入力帳票１６のイメージデータを格納する帳票イメージデータデータベース１５ｂ、及び、エントリ端末１３によって入力され、ベリファイ端末１４によって検証されたエントリデータを格納する入力データデータベース１５ｃが接続されている。なお、前記業務管理データベース１５ａ、帳票イメージデータデータベース１５ｂ及び入力データデータベース１５ｃは、データ管理サーバ１５に内蔵されていてもよい。
【００２８】
そして、前記業務管理データベース１５ａには、図２に示されるように、「処理通番」、「帳票イメージ」、「入力データ」、「帳票種類」、「処理ステータス」、「完了ステータス」、「発信エラー」等のデータが業務毎に格納されている。ここで、「帳票イメージ」は、前記帳票イメージデータデータベース１５ｂに格納されている帳票イメージを参照するためのデータであり、「入力データ」は、前記入力データデータベース１５ｃに格納されているエントリデータを参照するためのデータである。また、「帳票種類」は、入力帳票１６の種別が決定済みか否かを示すデータであり、前記入力帳票１６が帳票識別対象帳票である場合には自動的に入力される。
【００２９】
さらに、「処理ステータス」は、「帳票分類」、「エントリ」及び「ベリファイ」のデータを有する。そして、「帳票分類」は入力帳票１６の種別が決定済みか否かを示すデータである。また、「エントリ」は入力帳票１６に記載されたエントリデータを入力する処理としてのデータエントリ処理が処理済みとなっているか否かを示すデータであり、処理済みでない場合にはデータエントリ要となる。さらに、「ベリファイ」は入力されたエントリデータの内容を検証する処理としてのベリファイ処理が処理済みとなっているか否かを示すデータであり、処理済みでない場合にはベリファイ要となる。
【００３０】
さらに、「完了ステータス」は、「処理完了」、「返却済」及び「削除済」のデータを有する。そして、「処理完了」は、入力されたエントリデータのベリファイ処理が完了し、かつ、返却も削除もされなかったことを示すデータである。また、「返却済」は入力されたエントリデータが返却されたことを示すデータである。さらに、「削除済」は入力されたエントリデータが削除されたことを示すデータである。
【００３１】
なお、「発信エラー」は、ホストコンピュータへのエントリデータの送信にエラーがあったことを示すデータである。
【００３２】
次に、前記構成の帳票データエントリシステム１０の動作について説明する。ここでは、エントリ担当者がエントリ端末１３を操作して行うデータエントリ作業における動作について説明する。
【００３３】
図３は本発明の実施の形態におけるエントリ端末のメニュー画面の構成を示す図、図４は本発明の実施の形態におけるエントリ端末のエントリ画面の構成を示す図である。
【００３４】
まず、エントリ担当者がエントリ端末１３を操作してデータエントリ作業を開始すると、前記エントリ端末１３の表示手段には、図３に示されるようなメニュー画面２０が表示される。なお、ベリファイ担当者がベリファイ端末１４を操作してベリファイ作業を開始すると、前記ベリファイ端末１４の表示手段にも同様のメニュー画面２０が表示される。該メニュー画面２０は、マルチイメージで各業務の状況を照会することができるように構成されており、帳票データエントリシステム１０におけるデータエントリ作業の進捗状況を示すデータを表示する。
【００３５】
この場合、前記メニュー画面２０は、図３に示されるように、上方に全業務についての進捗状況を示すデータが表示される全業務表示部２１と、下方に個別の業務についての進捗状況を示すデータが各々表示される個別業務表示部２２とを有する。前記全業務表示部２１には、全業務についての進捗状況を示すデータとして、「受信件数」、「処理完了」、「返却済」、「削除済」、「帳票分類要」、「エントリ要」、「ベリファイ要」、「発信エラー」及び「送信中」の項目における繰越分の件数及び当日分の件数が表示される。
【００３６】
また、前記個別業務表示部２２には、個別の業務についての進捗状況を示すデータとして、「受信件数」、「処理完了」、「返却済」、「削除済」、「エントリ要」、「ベリファイ要」、「発信エラー」及び「送信中」の項目における繰越分の件数及び当日分の件数が表示されている。なお、単一の個別業務表示部２２に進捗状況を示すデータが表示される個別の業務の数は、５つに限定されるものでなく、個別業務表示部２２の大きさによって適宜変更することができる。また、個別の業務の数が多く、すべての業務についての進捗状況を示すデータを単一の個別業務表示部２２に表示することができない場合には、複数の個別業務表示部２２に表示するようにすることができる。図３に示される例においては、業務番号１〜５の５つの個別の業務について進捗状況を示すデータを表示する個別業務表示部２２が示されており、業務番号６〜１０の５つの個別の業務について進捗状況を示すデータを表示する個別業務表示部２２は、該個別業務表示部２２に付与された表示タブ２３を選択することによって示される。
【００３７】
さらに、各個別の業務について、データエントリ作業の開始を選択するボタンとしての「エントリ開始」ボタン２５、及び、ベリファイ作業の開始を選択するボタンとしての「ベリファイ開始」ボタン２６が個別業務表示部２２に表示されている。エントリ担当者がエントリ端末１３を操作して「エントリ開始」ボタン２５を押すと、該当する業務のデータエントリ作業を開始することができる。なお、「エントリ開始」ボタン２５は、該当する業務についての「エントリ要」の件数が１以上である場合に有効となり、前記「エントリ要」の件数が０である場合に無効となる。図３に示される例において、無効となった「エントリ開始」ボタン２５は、点線で示されている。また、ベリファイ担当者がベリファイ端末１４を操作して「ベリファイ開始」ボタン２６を押すと、該当する業務のベリファイ作業を開始することができる。なお、「ベリファイ開始」ボタン２６は、該当する業務についての「ベリファイ要」の件数が１以上である場合に有効となり、前記「ベリファイ要」の件数が０である場合に無効となる。図３に示される例において、無効となった「ベリファイ開始」ボタン２６は、点線で示されている。
【００３８】
そして、業務管理データベース１５ａに帳票イメージ入力端末１２で取得した入力帳票１６のイメージデータが１つ追加されると、全業務及び該当する業務についての「エントリ要」の件数が各々１増加する。また、前記入力帳票１６の種別が決定されていない場合、すなわち、帳票分類未の場合、全業務についての「帳票分類要」の件数が１増加する。なお、「エントリ要」の件数が１以上になると「エントリ開始」ボタン２５を有効にするが、データエントリが行われていない入力帳票１６のデータがすべて種別が未決定である場合は、「エントリ開始」ボタン２５を有効としない。
【００３９】
また、業務管理データベース１５ａの「処理ステータス」における「帳票分類」のデータの値が変動、すなわち、１件の入力帳票１６の種別が未決定から決定済みに変化すると、「帳票分類要」の件数が１減少する。
【００４０】
さらに、業務管理データベース１５ａの「処理ステータス」における「エントリ」のデータの値が変動、すなわち、１件の入力帳票１６のデータエントリ処理が未処理から処理済みに変化すると、「エントリ要」の件数が１減少するとともに、「ベリファイ要」の件数が１増加する。
【００４１】
さらに、業務管理データベース１５ａの「処理ステータス」における「ベリファイ」のデータの値が変動、すなわち、１件の入力帳票１６のエントリデータのベリファイ処理が未処理から処理済みに変化すると、「ベリファイ要」の件数が１減少する。
【００４２】
さらに、業務管理データベース１５ａの「完了ステータス」における「処理完了」、「返却済」又は「削除済」が済みに変化すると、「処理完了」、「返却済」又は「削除済」の件数が１増加する。
【００４３】
さらに、データ管理サーバ１５からホストコンピュータへのエントリデータの送信が開始されると「送信中」の件数が１増加し、前記送信が終了すると「送信中」の件数が１減少する。
【００４４】
さらに、業務管理データベース１５ａの「発信エラー」のデータの値が変動、すなわち、ホストコンピュータへのエントリデータの送信にエラーがあったことが示されると、「発信エラー」の件数が１増加する。
【００４５】
そして、残データがある場合、すなわち、「エントリ要」の件数が１以上である業務がある場合、当該業務のデータを表示する個別業務表示部２２に付与された表示タブ２３に彩色されたマーク（例えば、赤丸状のマーク）２４が表示される。そこで、エントリ担当者は、前記マーク２４が表示された表示タブ２３を選択することによって、「エントリ要」の件数が１以上である業務についての進捗状況を示すデータを表示させる。
【００４６】
続いて、前記エントリ担当者は、表示された個別の業務についての進捗状況を示すデータを確認する。この場合、処理が滞留している業務、すなわち、「エントリ要」の件数が１以上である業務については、「エントリ開始」ボタン２５が有効となっている。そこで、前記エントリ担当者は、有効となっている「エントリ開始」ボタン２５を押すと、該当する業務のデータエントリ作業を開始する。なお、処理が滞留していない業務、すなわち、「エントリ要」の件数が０である業務については「エントリ開始」ボタン２５が無効となっているので、前記エントリ担当者は、どの業務についてデータエントリ作業を行うべきかを容易に判断することができる。
【００４７】
そして、前記エントリ担当者が「エントリ開始」ボタン２５を押すと、該当する業務のデータエントリ作業を開始するために、前記エントリ端末１３の表示手段には、図４に示されるようなエントリ画面３０が表示される。なお、図４は、業務が住所変更届である場合のエントリ画面３０を示している。該エントリ画面３０は、上方に帳票イメージデータデータベース１５ｂに格納されている入力帳票１６のイメージデータを表示するイメージデータ表示部３１と、下方に前記入力帳票１６に記載されたエントリデータを入力するための入力フィールドを表示する入力フィールド部３２とを有する。
【００４８】
この場合、業務の種類、すなわち、入力帳票１６の種別に係わらず、すべての入力帳票１６が同一形態のエントリ画面３０に表示され、すべての入力帳票１６に記載されたエントリデータを同一の操作体系で入力することができるようになっている。そのため、新たな業務を追加しても、エントリ担当者に訓練を施す必要がない。また、最適イメージ表示が行われるので、小さな文字も、はっきりとイメージデータ表示部３１に表示され、容易に視認することができる。
【００４９】
さらに、イメージデータ表示部３１にはガイド枠３３が表示される。該ガイド枠３３は、入力フィールド部３２と連動するようにイメージデータ表示部３１内を移動し、入力フィールド部３２において選択されている入力欄３４（図４に示される例においては、第２番目の住所（漢字）入力欄）に対応する入力帳票１６上の箇所を示すようになっている。なお、イメージデータ表示部３１は、入力帳票１６のイメージデータをスクロール表示することができ、入力フィールド部３２において選択されている入力欄３４に対応する入力帳票１６上の箇所が視認しやすい位置になるように、自動的にスクロール表示するようになっている。
【００５０】
また、入力欄３４も、スクロール表示されることによって、大きく表示されている。そのため、視認しやすく、入力ミスの発生を防止することができる。また、入力欄３４の下にはガイダンス表示欄３５が表示され、エントリ担当者によるデータエントリ作業を支援するために、多種多様なガイダンスを表示することができる。
【００５１】
このように、本実施の形態においては、メニュー画面２０に表示されたデータエントリ作業の進捗状況を示すデータを確認し、同じくメニュー画面２０に表示された「エントリ開始」ボタン２５を押すという簡単な操作を行うことによって、個別の業務についてのエントリ画面３０が表示され、該当する業務のデータエントリ作業を行うことができる。そのため、別画面を表示させて業務の進捗状況を確認したり、煩雑な操作を行ったりする必要がなく、簡単な操作で効率的にデータエントリ作業を行うことができる。
【００５２】
なお、本発明は前記実施の形態に限定されるものではなく、本発明の趣旨に基づいて種々変形させることが可能であり、それらを本発明の範囲から排除するものではない。
【図面の簡単な説明】
【００５３】
【図１】本発明の実施の形態における帳票データエントリシステムの構成を示す図である。
【図２】本発明の実施の形態における業務管理データベースの構成を示す図である。
【図３】本発明の実施の形態におけるエントリ端末のメニュー画面の構成を示す図である。
【図４】本発明の実施の形態におけるエントリ端末のエントリ画面の構成を示す図である。
【符号の説明】
【００５４】
１０    帳票データエントリシステム
１３    エントリ端末
１５    データ管理サーバ
１６    入力帳票
２０    メニュー画面
２１    全業務表示部
２２    個別業務表示部
２５    「エントリ開始」ボタン
２６    「ベリファイ開始」ボタン
３０    エントリ画面
３１    イメージデータ表示部
３２    入力フィールド部
【図１】
2007226329.tif 000003
【図２】
2007226329.tif 000004
【図３】
2007226329.tif 000005
【図４】
2007226329.tif 000006